(57)【特許請求の範囲】
【請求項１】
菌根が形成されていない樹木の根を菌根菌の胞子を分散して有する保持手段により包持してなる植林用苗木であって、前記保持手段は感染力維持処理をなした胞子懸濁液と増粘材とからなる生分解性高粘度液体であり、前記感染力維持処理は子実体を腐敗液化処理して子実体における胞子を成熟させるとともに微生物の繁殖により余剰の易分解成分を消費させて多様な微生物下でも胞子が高い感染力を維持できるようにしたことを特徴とする植林用苗木。
【請求項２】
請求項１記載の植林用苗木において、樹木はマツ科の樹木実生であり、菌根菌の胞子はショウロ属、ヌメリイグチ属又はこれらの近縁に属する食用キノコから選択したものであることを特徴とする植林用苗木。
【請求項３】
請求項１又は２いずれか記載の植林用苗木において、生分解性高粘度液体は穏和な化学処理により固化する性質を有するものであることを特徴とする植林用苗木。
【請求項４】
請求項３記載の植林用苗木において、胞子懸濁液と混合して生分解性高粘度液体を構成する増粘材は天然高分子および/又は合成水溶性高分子で構成し、この生分解性高粘度液体を酸性処理することにより瞬間的に固化可能にしたことを特徴とする植林用苗木。
【請求項５】
請求項１又は２いずれか記載の植林用苗木において、生分解性高粘度液体の外表面を微細粒で被覆して生分解性高粘度液体の崩落を防止するようにしたことを特徴とする植林用苗木。
【請求項６】
以下の工程からなる植林用苗木の生産方法。
（ａ）菌根菌の胞子を液中に懸濁させるとともに、この胞子懸濁液に感染力維持処理をなして多様な微生物の存在下にあっても該胞子に高い感染力を保持させるようになす工程であり、前記感染力維持処理は子実体を腐敗液化処理して子実体における胞子を成熟させるとともに微生物の繁殖により余剰の易分解成分を消費させて多様な微生物下でも胞子が高い感染力を維持できるようにした処理で構成される工程、
（ｂ）前記胞子懸濁液を増粘材と混合して高粘度化する工程、
（ｃ）菌根が形成されていない樹木の根を高粘度化された胞子懸濁液中に浸漬して、前記感染力維持処理をなした高粘度化胞子懸濁液を樹木の根において塗布包持させる工程、
（ｄ）樹木の根に塗布包持された前記高粘度化胞子懸濁液の崩落を防止するために、該高粘度化胞子懸濁液の全部または外表面を固化させる工程、
（ｅ）次いで、工程（ｄ）を経た樹木を目的外の菌根菌を有しない培土で育苗して目的の菌根菌に係る菌根の形成された苗木を得る工程。
【請求項７】
請求項６記載の植林用苗木の生産方法において、樹木はマツ科の樹木実生であり、菌根菌の胞子はショウロ属、ヌメリイグチ属又はこれらの近縁に属する食用キノコから選択したものであることを特徴とする植林用苗木の生産方法。
【請求項８】
請求項６または７いずれか記載の植林用苗木の生産方法において、前記高粘度化胞子懸濁液は穏和な化学処理により固化する性質を有するとともに、この化学処理により高粘度化胞子懸濁液を固化するようにしたことを特徴とする植林用苗木の生産方法。
【請求項９】
請求項８記載の植林用苗木の生産方法において、胞子懸濁液と混合して前記高粘度化胞子懸濁液を構成する前記増粘材は天然高分子および/又は合成水溶性高分子で構成し、この高粘度化胞子懸濁液を酸性処理することにより瞬間的に固化可能にしたことを特徴とする植林用苗木の生産方法。
【請求項１０】
請求項６または７いずれか記載の植林用苗木の生産方法において、前記高粘度化胞子懸濁液の外表面の固化は、外表面を微細粒で被覆してなすようにしたことを特徴とする植林用苗木の生産方法。
【請求項１１】
菌根菌の胞子懸濁液を生成し、この胞子懸濁液に子実体を腐敗液化処理して子実体における胞子を成熟させるとともに微生物の繁殖により余剰の易分解成分を消費させて多様な微生物下でも胞子が高い感染力を維持できるようにする感染力維持処理をなし、次いで、前記胞子懸濁液に増粘材を添加して高粘度化し、この高粘度化胞子懸濁液中に菌根が形成されていない樹木実生の根を浸漬させて前記胞子を付着し、さらに根に付着した高粘度化胞子懸濁液の全部または外表面を固化させるようにしたことを特徴とする菌根菌の接種方法。
【請求項１２】
請求項１１記載の菌根菌の接種方法において、樹木はマツ科の樹木実生であり、菌根菌の胞子はショウロ属、ヌメリイグチ属又はこれらの近縁に属する食用キノコから選択したものであることを特徴とする菌根菌の接種方法。
【請求項１３】
請求項１１又は請求項１２記載の菌根菌の接種方法において、前記高粘度化胞子懸濁液は、穏和な化学処理により固化する性質を有するとともに、この化学処理により高粘度胞子懸濁液を固化するようにしたことを特徴とする菌根菌の接種方法。
【請求項１４】
請求項１３記載の菌根菌の接種方法において、胞子懸濁液に添加して前記高粘度化胞子懸濁液を構成する前記増粘材は天然高分子および/又は合成水溶性高分子で構成し、この高粘度化胞子懸濁液を酸性処理することにより瞬間的に固化可能にしたことを特徴とする菌根菌の接種方法。
【請求項１５】
請求項１１または１２いずれか記載の菌根菌の接種方法において、前記高粘度化胞子懸濁液の外表面の固化は、外表面を微細粒で被覆してなすようにしたことを特徴とする菌根菌の接種方法。
【発明の詳細な説明】
【０００１】
【発明の属する技術分野】
本願発明は、樹木における菌根菌の接種技術に関し、詳しくは目的の菌のみを効率良く高い確度で樹木の根に接種する技術、これを利用した植林用苗木およびその生産方法に関するものである。
【０００２】
【発明の背景】
マツ科、ブナ科、フトモモ科等の植物の根には菌類（菌根菌）が共生し、これら植物は菌から無機物（肥料分）、水分等を摂取し、さらには菌根により土壌病原菌からの保護されており、これら樹木の成育に菌根菌は不可欠である。
したがって、前記マツ科、ブナ科、フトモモ科等の、いわゆる菌根性樹種の人工造林に際しては、これら樹木と菌根菌との適正な共生を促進することが極めて重要である。また、菌根菌の中には食用きのこも存在し、このような菌根性食用きのこの生産にあたっては、当該菌根菌を対象樹木の根に効率良く接種することが生産性向上の見地から肝要である。
【０００３】
造林技術としての菌根菌の接種技術については、従来から種々の研究がなされてきている。しかしながら、目的が造林であることから、特に海外で開発され普及している胞子を用いる菌類の接種技術は、例えば、破砕したきのこによる胞子懸濁液を樹木の苗畑地表に散布するといった粗放な態様によるものである。
【０００４】
このため、接種効率が良好とは言えず、また、接種源として多量のきのこを要することから、食用きのこの生産技術としてはコストの点から、現実的意義を有していないのが実情である。  すなわち、菌根性食用きのこを生産するためには、可能なかぎり少量のきのこの消費で効率的に接種を行う必要がある。
また、造林用の接種を行う場合でも、原料の消費効率が悪いという問題がある。  また、このような従来技術にあっては、接種対象となる菌根菌と他の既存菌根菌との間に競合が生じ接種確率が低下するという不都合もある。
【０００５】
なお、上記従来技術の他に、胞子をカプセル化したものや、胞子とミズゴケを押し固めてペレット状にしたものを埋設する方法等も実施されているが、接種対象となる菌根菌と他の既存菌根菌との間の競合による接種確率低下といった問題点を解消し得ないでいる。
【０００６】
【発明の概要】
本願発明は、菌根が形成されていない樹木の根を菌根菌の胞子を分散して有する保持手段により包持してなる植林用苗木であって、前記保持手段は感染力維持処理をなした胞子懸濁液と増粘材とからなる生分解性高粘度液体であり、前記感染力維持処理は子実体を腐敗液化処理して子実体における胞子を成熟させるとともに微生物の繁殖により余剰の易分解成分を消費させて多様な微生物下でも胞子が高い感染力を維持できるようにしてなる植林用苗木を提供して、上記従来の課題を解決しようとするものである。
【０００７】
上記植林用苗木において、樹木はマツ科の樹木実生であり、菌根菌の胞子はショウロ属、ヌメリイグチ属又はこれらの近縁に属する食用キノコから選択することがある。
【０００８】
また、上記いずれかの植林用苗木において、生分解性高粘度液体は穏和な化学処理により固化する性質を有するもので構成することがある。
【０００９】
さらに、上記の植林用苗木において、胞子懸濁液と混合して生分解性高粘度液体を構成する増粘材は天然高分子および/又は合成水溶性高分子で構成し、この生分解性高粘度液体を酸性処理することにより瞬間的に固化可能に構成することがある。
【００１０】
さらにまた、上記いずれか記載の植林用苗木において、生分解性高粘度液体の外表面を微細粒で被覆して生分解性高粘度液体の崩落を防止するようになすことがある。
【００１１】
本願発明はさらに、
（ａ）菌根菌の胞子を液中に懸濁させるとともに、この胞子懸濁液に感染力維持処理をなして多様な微生物の存在下にあっても該胞子に高い感染力を保持させるようになす工程であり、前記感染力維持処理は子実鯛を腐敗液化処理して子実体における胞子を成熟させるとともに微生物の繁殖により余剰の易分解成分を消費させて多様な微生物下でも胞子が高い感染力を維持できるようにした処理で構成される工程、
（ｂ）前記胞子懸濁液を増粘材と混合して高粘度化する工程、
（ｃ）菌根が形成されていない樹木の根を高粘度化された胞子懸濁液中に浸漬して、前記感染力維持処理をなした高粘度化胞子懸濁液を樹木の根において塗布包持させる工程、
（ｄ）樹木の根に塗布包持された前記高粘度化胞子懸濁液の崩落を防止するために、該高粘度化胞子懸濁液の全部または外表面を固化させる工程、
（ｅ）次いで、工程（ｄ）を経た樹木を目的外の菌根菌を有しない培土で育苗して目的の菌根菌に係る菌根の形成された苗木を得る工程。
以上の工程からなる植林用苗木の生産方法を提供して、上記従来の課題を解決しようとするものである。
【００１２】
上記生産方法において、樹木はマツ科の樹木実生であり、菌根菌の胞子はショウロ属、ヌメリイグチ属又はこれらの近縁に属する食用キノコから選択したもので構成することがある。
【００１３】
さらに、上記いずれか記載の植林用苗木の生産方法において、前記高粘度化胞子懸濁液は穏和な化学処理により固化する性質を有するとともに、この化学処理により高粘度化胞子懸濁液を固化するように構成することがある。
【００１４】
また、上記の植林用苗木の生産方法において、胞子懸濁液と混合して前記高粘度化胞子懸濁液を構成する前記増粘材は天然高分子および/又は合成水溶性高分子で構成し、この高粘度化胞子懸濁液を酸性処理することにより瞬間的に固化可能に構成することがある。
【００１５】
上記いずれか記載の植林用苗木の生産方法において、前記高粘度化胞子懸濁液の外表面の固化は、外表面を微細粒で被覆してなすように構成することがある。
【００１６】
本願発明はまた、菌根菌の胞子懸濁液を生成し、この胞子懸濁液に子実体を腐敗液化処理して子実体における胞子を成熟させるとともに微生物の繁殖により余剰の易分解成分を消費させて多様な微生物下でも胞子が高い感染力を維持できるようにする感染力維持処理をなし、次いで、前記胞子懸濁液に増粘材を添加して高粘度化し、この高粘度化胞子懸濁液中に菌根が形成されていない樹木実生の根を浸漬させて前記胞子を付着し、さらに根に付着した高粘度化胞子懸濁液の全部または外表面を固化させるようにしてなる菌根菌の接種方法を提供して、上記従来の課題を解決しようとするものである。
【００１７】
また、上記の菌根菌の接種方法において、樹木はマツ科の樹木実生であり、菌根菌の胞子はショウロ属、ヌメリイグチ属又はこれらの近縁に属する食用キノコから選択したもので構成することがある。
【００１８】
さらに、上記いずれかの菌根菌の接種方法において、前記高粘度化胞子懸濁液は、穏和な化学処理により固化する性質を有するとともに、この化学処理により高粘度胞子懸濁液を固化するように構成することがある。
【００１９】
また、上記の菌根菌の接種方法において、胞子懸濁液に添加して前記高粘度化胞子懸濁液を構成する前記増粘材は天然高分子および/又は合成水溶性高分子で構成し、この高粘度化胞子懸濁液を酸性処理することにより瞬間的に固化可能に構成することがある。
【００２０】
そして、上記いずれかの菌根菌の接種方法において、前記高粘度化胞子懸濁液の外表面の固化は、外表面を微細粒で被覆してなすように構成することがある。
【００２１】
【発明の実施形態】
本実施形態では、接種する菌根菌としてショウロを採用する一方、この菌を接種すべき対象として発芽後間もないマツ（実生）を選択した。
この菌根菌接種対象としてのマツの実生苗は、目的外の菌根菌、すなわちショウロ以外の菌根菌が一切定着していないものを用いる。このような実生苗の吸収根をショウロ胞子を分散配合した生分解性の高粘度胞子懸濁液中に浸漬して、前記吸収根に高粘度胞子懸濁液を塗布抱持させる。  これにより、吸収根に胞子が直接付着することになる。
【００２２】
分散配合するショウロ胞子の生成に関しては、新鮮なショウロの破砕物を用いると害菌が発生しやすいため、成熟腐敗したものを用いるのが望ましい。生分解性高粘度液体としては、アルギン酸ナトリウム、ペクチンのような天然高分子、カルボキシメチルセルロ−ス等の半合成物質、その他の各種合成水溶性高分子を単独または複数混合して生成できるが、特にアルギン酸ナトリウム等、穏和な化学処理で固化する性質のものが望ましい。該実施形態では、酸性条件下で瞬間的に固化させたが、塩化カルシウム水溶液に浸して固化することも可能である。
このような固化処理は、根からの崩落、流亡を防止するためである。
なお、高粘度液体自体の固化が困難な場合には、外表面に粉炭、微粒砂、バ−ミキュライト微粒等を塗布付着させて根からの崩落、流亡を防止することができる。
【００２３】
成熟腐敗したショウロの破砕物に水を加えて、多様な微生物の存在下でも感染力を保持するショウロ胞子懸濁液を生成し、これに上記のアルギン酸ナトリウムを加えて粘性を付与し、これに前記実生苗の吸収根を浸漬する。
ついで、付着した高粘度液体の崩落、流亡を防止する処理をなす。すなわち、根に付着した高粘度胞子懸濁液を塩酸等により瞬間的に固化させて、一連の菌根菌接種作業は完了する。
【００２４】
接種作業の完了した苗木は、野生菌根菌を含まない培土で所定期間育成してショウロ菌を定着させて菌根の形成をみた後、植林その他の用に供することになる。
【００２５】
該実施形態では、接種する菌根菌としてショウロを用いたが、これはショウロが食用きのことしての市場価値が高いこと、懸濁液中での生存性が良好なこと等に着目した結果である。因に、ショウロは懸濁液中で２年以上の保存が可能であり、該実施形態における接種確率は極めて高い。
ショウロ以外に、ヌメリイグチ属又はこれらの近縁に属する食用キノコを用いることができ、例えばカラマツと共生するハナイグチ、クロマツと共生するチチアワタケ等を使用できる。
【００２６】
【発明の実施例】
実験結果に基づいて、本願発明の１実施例を説明する。
本実施例において、接種用の樹木実生は、消毒したクロマツの種子を土壌に接触させることなくバーミキュライト上で発芽させることによって得たが、具体的には播種後１カ月齢の無菌根苗を使用した。
【００２７】
胞子懸濁液は、採集したショウロをプラスチックバッグ内において、常温で２週間放置し、完全に成熟して分解液化の進行したものから生成した。この腐敗液化処理は、胞子を成熟させるとともに余剰な易分解成分を消費させ、多様な微生物下でも感染力を失わないようにする処理として有効である。
すなわち、分解液化したショウロを同重量の水道水と混合してミキサ−により２〜３分前後粉砕処理をなし、多様な微生物下でも感染力を維持できる濃厚胞子懸濁液とした。
【００２８】
次いで、前記濃厚胞子懸濁液を水で１０倍に希釈して、胞子懸濁液を得た。この胞子懸濁液はそのままでは根における保持性に欠け、容易に流亡してしまうので、懸濁液を高粘度化して保持性を高める必要がある。このため、本実施例では、前記胞子懸濁液に重合度約６５０のアルギン酸ナトリウムを１％加えて、ショウロ胞子が分散配合された高粘度液体を生成した。
【００２９】
樹木実生への接種は、根系を高粘度液体に浸漬してこれを付着させることによって行った。高粘度液体を介することにより根における胞子の接触は良好となるが、高粘度液体そのものが崩落、剥離する虞れは依然として存在する。
このため、高粘度液体そのものの固化処理を行った。
すなわち、樹木実生の根系を高粘度液体に浸漬した後、直ちに濃度０．１規定の希塩酸に浸して高粘度液体を瞬間的に固化させた。
【００３０】
次いで、その根系にショウロ胞子を接種した樹木実生を他の菌根菌を含まない培土で所定期間育成を行い、ショウロ菌の定着した苗木を得た。
この過程で、胞子の保持手段としての高粘度液体は、微生物の作用により常温で数日で分解された。
【００３１】
以上、本願発明の内容につき詳述したが、さらに本願発明の趣旨について附記する。
菌根性食用きのこ類には、従来、純粋培養によりきのこを形成させる技術の開発されていないものが多く、その人工的な生産技術が需められているところである。  また、森林利用の高度化による山林振興の見地から、林地に付加価値を与える技術も需められている。本願発明は、前記両需要に応える目的、効果を有している。
【００３２】
例えば、ショウロの生産は、これまでそのほとんどを天然品の採集に依存してきたが、本願発明により人為的にショウロの発生地を形成し、計画的な生産が可能となる。  そして同時に、従来は防災機能のみに着目されてきたマツ林に食用きのこ生産林としての機能を付加することが可能である。
また、胞子の林地への散布によるといった従来の方法でショウロを接種して人為的に発生させるとなると、大量の原料きのこを必要とするが、本願発明では原料きのこ量を１／１０以下に抑制することができる。
【００３３】
【発明の効果】
本願発明は、以上説明した構成作用により、次のような効果を得ることができる。
（１）宿主植物の根に菌根菌の胞子をあらかじめ付着させておくことにより、菌根定着の場となる吸収根が形成されると必ず菌根菌に接触するから、効率的な接種が可能になる。
（２）菌根の形成されていない実生と菌根菌を含まない培土で育苗するので、目的外の菌根菌との競生を回避でき目的とする菌根菌による菌根を有する樹木実生を効率良く生産できる。
（３）したがって、接種する菌根菌の選定により、例えば、食用きのこの生産に適する苗木、特定の造林地に適する苗木等を自在に生産することができる。